(57)【要約】【課題】  平坦で起伏の無い場所は勿論のこと、例えば山中の遊歩道などの比較的大きな高低差がある場所であっても、見栄えが良く美麗で自然の趣がある格調高いウッディフェンスを容易に構築できるようにすること。【解決手段】  複数本の支柱を立設し、この支柱の上側側部に手摺受け部材を斜め上方向又は斜め下方向に突設し、手摺棒の端部下面側に形成された嵌合用凹部を前記手摺受け部材の突出部全体若しくは略全体に上方から嵌合させ、手摺棒内部に配設したボルト等の固定部材によって手摺棒の端部と手摺受け部材を相互に固定する。【選択図】  図８
2005036566.tif 000002
【特許請求の範囲】
【請求項１】
複数本の支柱を立設し、この支柱の上側側部に手摺受け部材を斜め上方向又は斜め下方向に突設し、手摺棒の端部下面側に形成された嵌合用凹部を前記手摺受け部材の突出部全体若しくは略全体に上方から嵌合させ、手摺棒内部に配設したボルト等の固定部材によって手摺棒の端部と手摺受け部材を相互に固定することを特徴とするウッディフェンスの施工方法。
【請求項２】
複数本の支柱の間に手摺棒を掛け渡してなるウッディフェンスを構築する方法であって、上部側側部に手摺受け部材を斜め上方向又は斜め下方向に突設した支柱を複数本立設し、手摺棒の端部下面側に形成された嵌合用凹部を前記手摺受け部材の突出部全体若しくは略全体に上方から嵌合させ、手摺棒内部に配設したボルト等の固定部材によって前記手摺棒の端部と手摺受け部材を相互に固定することを特徴とするウッディフェンスの施工方法。
【請求項３】
前記嵌合用凹部が、手摺棒の長さ方向全長にわたって形成されてなることを特徴とする請求項１又は２記載のウッディフェンスの施工方法。
【請求項４】
前記手摺棒の端面が長さ方向に対して傾斜する面に形成されてなることを特徴とする請求項１乃至３いずれかに記載のウッディフェンスの施工方法。
【請求項５】
複数本の支柱の間に手摺棒を掛け渡してなるウッディフェンスの構築に使用される金具であって、支柱の側面に固定される板状の本体部と、手摺棒の端部下面側に形成された嵌合用凹部に嵌合される突出部とからなり、この突出部は、手摺棒に該突出部を固定するためのボルト等の固定部材の挿通孔を有するとともに、前記本体部の一面側から斜め上方向又は斜め下方向に突出されてなることを特徴とすることを特徴とするウッディフェンス構築用金具。
【請求項６】
前記突出部の先端部が円弧状に形成されてなることを特徴とする請求項５記載のウッディフェンス構築用金具。
【発明の詳細な説明】
【技術分野】
【０００１】
本発明は、ウッディフェンスの施工方法及びウッディフェンス構築用金具に関し、より詳しくは、平坦で起伏の無い場所は勿論のこと、例えば山中の遊歩道などの比較的大きな高低差がある場所であっても、見栄えが良く美麗で自然の趣がある格調高いウッディフェンスを容易に構築できるウッディフェンスの施工方法及びウッディフェンス構築用金具に関する。
【背景技術】
【０００２】
従来のウッディフェンスには、以下のようなものがあった。その一例を図１３及び図１４に示す。このウッディフェンス（３０）は、木製の支柱（３１）と、隣り合う支柱（３１）を繋ぐ木製の手摺棒（３２）とからなる。支柱（３１）の上側側部には横向きの円柱状孔（３３）が２個形成され、手摺棒（３２）は円柱状とされるとともにその径は円柱状孔（３３）に嵌入可能な径とされる。ウッディフェンス（３０）は、手摺棒（３２）の両端部を円柱状孔（３３）に嵌入することにより構成される。
【０００３】
従来のウッディフェンスの他の例を図１５及び図１６に示す。このウッディフェンス（３０）は、木製の支柱（３１）と、隣り合う支柱（３１）を繋ぐ木製の手摺棒（３２）とからなる。手摺棒（３２）は、その一端部に嵌合凸部（３４）を有するとともに他端部に嵌合凹部（３５）を有する。ウッディフェンス（３０）は、まず手摺棒（３２）を直線的に隣り合わせて配置した後、一方の手摺棒（３２）の嵌合凸部（３４）と他方の手摺棒（３２）の嵌合凹部（３５）を嵌合し、この嵌合部分を長釘（３６）によって支柱（３１）に固定することにより構成される。
【０００４】
従来のウッディフェンスの更に他の例を図１７及び図１８に示す。このウッディフェンス（３０）は、木製の支柱（３１）と、隣り合う支柱（３１）を繋ぐ木製の手摺棒（３２）と、手摺棒（３２）同士を繋ぐとともにこの手摺棒（３２）を支柱（３１）の上端部に固定する連結金具（３７）とからなる。連結金具（３７）は帯板を屈曲させてなるものであって、手摺棒（３２）の端部を保持する円筒状部（３８）と、この円筒状部（３８）の下端から下方へ垂下し支柱（３１）の上端部に固定される門形の取付部（３９）とからなる。このウッディフェンス（３０）は、支柱（３１）の上端部に木ねじ（４０）等によって連結金具（３７）の取付部（３９）を固定し、円筒状部（３８）の両側にそれぞれ手摺棒（３２）の端部を嵌入保持させることにより構成される。
【０００５】
しかしながら、前記した従来の技術には、以下のような課題が存在した。
図１３及び図１４に示すウッディフェンス（３０）は、その構造上、全ての支柱（３１）を同一直線上に配置した形態でしか施工することができなかった。つまり、このウッディフェンス（３０）においては、全支柱（３１）を手摺棒（３２）にて連結してウッディフェンス（３０）を完全に組み上げた状態とし、その後、全ての支柱（３１）を一斉に立設しなければならなかった。通常、その組み上げ作業は支柱（３１）を地面に寝かせた状態で行うから、支柱（３１）が全て同一直線上に並ぶ状態となるのであった。
従って、支柱（３１）を折れ線或いは多角形の頂点に配置して、ウッディフェンス（３０）を折れ線状或いは多角形状等の種々の包囲形状に施工することができないという問題があった。
また、この例においては、一本の手摺棒（３２）を交換する際、全ての支柱（３１）を一斉に地面から引き抜かなければならないという問題があった。
また、手摺棒（３２）の端部を円柱状孔（３３）に嵌入するために、その端部の径及び形状を統一する必要があり、通常は、手摺棒（３２）全体を同一断面径及び同一断面形状としていた。このため、人工的で画一的な感じのするウッディフェンスとなっていた。
【０００６】
図１５及び図１６に示すウッディフェンス（３０）においても、その構造上、全ての支柱（３１）を同一直線上に配置した形態でしか施工することができなかった。つまり、手摺棒（３２）の嵌合凸部（３４）と嵌合凹部（３５）は、共に手摺棒（３２）の軸方向に伸びて形成されるから、手摺棒（３２）同士を斜め若しくは直角に連結することができなかった。
従って、支柱（３１）を折れ線或いは多角形の頂点に配置して、ウッディフェンス（３０）を折れ線状或いは多角形状等の種々の包囲形状に施工することができないという問題があった。
また、この例においては、支柱（３１）の前面に手摺棒（３２）が固定されるので、手摺棒（３２）が前方に迫り出して納まりが悪く、また意匠性に劣るとともに、長釘（４０）の頭が露出して見栄えが悪いという問題があった。
更に、長釘（４０）での固定のため、手摺棒（３２）の径を大きくできないという問題があり、長釘（４０）の頭に触れた者が怪我をする危険性もあった。
また、手摺棒（３２）の端部同士を接続するために、その端部の径及び形状を統一する必要があり、通常は、手摺棒（３２）全体を同一断面径及び同一断面形状としていた。このため、人工的で画一的な感じのするウッディフェンスとなっていた。
【０００７】
図１７及び図１８に示すウッディフェンス（３０）は、金属製の連結金具（３７）が最も目立つ所に位置しており、非常に見栄えが悪く、格調の高いウッディフェンスを施工することができないという問題があった。
また、手摺棒（３２）に触れて歩行する者が、金属製の連結金具（３７）によって怪我をしたり、或いは連結金具（３７）に衣服を引っ掛けてこれを破損することもあった。
また、手摺棒（３２）の端部同士を接続するために、その端部の径及び形状を統一する必要があり、通常は、手摺棒（３２）全体を同一断面径及び同一断面形状としていた。このため、人工的で画一的な感じのするウッディフェンスとなっていた。
【０００８】
本願出願人は上記したような従来技術の問題点を解決するためのウッディフェンス及びその施工方法を既に提案している（特許文献１参照）。
【０００９】
【特許文献１】特開２００２−１６７９３６号公報
【発明の開示】
【発明が解決しようとする課題】
【００１０】
上記開示技術は、金属製のジョイント部材が外部から見えず、しかも自然に近い状態の種々の径の木材を用いて構成することができ、これにより見栄えが良く美麗で自然の趣のある格調高いウッディフェンスを得ることができるとともに金属製ジョイント部材による怪我や衣服の破損を防止し、また、折れ線形状或いは多角形状等の種々の包囲形状を容易に構築することができ、更に手摺棒の着脱が容易でその交換作業を速やかに行うことができるという極めて優れたものであった。
しかしながら、支柱に対する手摺棒の取り付けの上下角度がほぼ一定に定まってしまうため、例えば山中の遊歩道や階段の手摺、或いは起伏が大きい場所など、比較的大きな高低差がある部分にウッディフェンスを構築しようとした場合には、支柱間を手摺棒で連結することができなくなってしまうという問題があった。
【００１１】
本発明はかかる問題点を解決する為になされたものであって、金属製のジョイント部材が外部から見えず、しかも自然に近い状態の種々の径の木材を用いて構成することができ、これにより見栄えが良く美麗で自然の趣のある格調高いウッディフェンスを得ることができるとともに金属製ジョイント部材による怪我や衣服の破損を防止し、また、折れ線形状或いは多角形状等の種々の包囲形状を容易に構築することができ、更に手摺棒の着脱が容易でその交換作業を速やかに行うことができるという優れた特性を備えつつ、さらに支柱に対する手摺棒の取り付け角度を上下に大きく変化させることができ、平坦地はもちろんのこと、大きな高低差がある部分であっても支柱間を手摺棒で連結して支障無くウッディフェンスを構築することができる汎用性の高いウッディフェンスの施工方法及びウッディフェンス構築用金具を提供せんとするものである。
【課題を解決するための手段】
【００１２】
請求項１に係る発明は、複数本の支柱を立設し、この支柱の上側側部に手摺受け部材を斜め上方向又は斜め下方向に突設し、手摺棒の端部下面側に形成された嵌合用凹部を前記手摺受け部材の突出部全体若しくは略全体に上方から嵌合させ、手摺棒内部に配設したボルト等の固定部材によって手摺棒の端部と手摺受け部材を相互に固定することを特徴とするウッディフェンスの施工方法に関する。
【００１３】
請求項２に係る発明は、複数本の支柱の間に手摺棒を掛け渡してなるウッディフェンスを構築する方法であって、上部側側部に手摺受け部材を斜め上方向又は斜め下方向に突設した支柱を複数本立設し、手摺棒の端部下面側に形成された嵌合用凹部を前記手摺受け部材の突出部全体若しくは略全体に上方から嵌合させ、手摺棒内部に配設したボルト等の固定部材によって前記手摺棒の端部と手摺受け部材を相互に固定することを特徴とするウッディフェンスの施工方法に関する。
【００１４】
請求項３に係る発明は、前記嵌合用凹部が、手摺棒の長さ方向全長にわたって形成されてなることを特徴とする請求項１又は２記載のウッディフェンスの施工方法に関する。
【００１５】
請求項４に係る発明は、前記手摺棒の端面が長さ方向に対して傾斜する面に形成されてなることを特徴とする請求項１乃至３いずれかに記載のウッディフェンスの施工方法に関する。
【００１６】
請求項５に係る発明は、複数本の支柱の間に手摺棒を掛け渡してなるウッディフェンスの構築に使用される金具であって、支柱の側面に固定される板状の突出部と、手摺棒の端部下面側に形成された嵌合用凹部に嵌合される突出部とからなり、この突出部は、手摺棒に該突出部を固定するためのボルト等の固定部材の挿通孔を有するとともに、前記突出部の一面側から斜め上方向又は斜め下方向に突出されてなることを特徴とするウッディフェンス構築用金具に関する。
【００１７】
請求項６に係る発明は、前記突出部の先端部が円弧状に形成されてなることを特徴とする請求項５記載のウッディフェンス構築用金具に関する。
【発明の効果】
【００１８】
本発明によれば、支柱に対して手摺棒を上下に大きく傾斜させて取り付けることが可能であるため、水平な地面上は勿論のこと、山道などの大きく傾斜した地面上であっても、支柱と手摺棒を支障なく容易に連結してウッディフェンスを構築することが可能となり、非常に高い汎用性を有するものとなる。
しかも、金属製のジョイント部材が外部から見えず、しかも種々の断面形状及び径を有する自然木を用いて構築することができるので、見栄えが良く美麗で自然の趣のある格調高いウッディフェンスを得ることができるとともに金属製ジョイント部材による怪我や衣服の破損を防止することができる。
また、種々の包囲形状のウッディフェンスを容易に得ることができる。更に、手摺棒の着脱が容易であるから、手摺棒の交換作業を速やかに行うことができる。
また、嵌合用凹部が手摺棒の長さ方向全長にわたって形成されていることにより、ひび割れを防ぐことができるとともに、手摺棒をどの部分で切断しても、両端部に手摺受け部材の突出部が嵌入される嵌合用凹部が現れ、非常に汎用性及び作業性に優れたものとなる。
また、手摺棒の端面が長さ方向に対して傾斜する面に形成されていることにより、支柱の外面に沿って手摺棒の端面を配置させることができるため、収まりがよく美観的に優れたものとなる。
また、突出部の先端部が円弧状に形成されているため、接触による怪我を防止することができるとともに、支柱に対して手摺棒を大きく傾斜させて取り付けることが可能となる。
【発明を実施するための最良の形態】
【００１９】
本発明の第一実施形態について、図面を参照しつつ説明する。
図１は、本発明に係る方法にて構築されるウッディフェンスの全体構造の一例を示す外観図である。図２は、図１に示すウッディフェンスの一部を抽出して示す正面図である。図３は、図２に示すウッディフェンスの分解斜視図である。
ウッディフェンス（１）は、複数本の支柱（２）と、隣り合う支柱（２）を繋ぐ木製の手摺棒（３）とからなる。
支柱（２）には手摺棒（３）の端部を受けこれを下方から支持する手摺受け部材（４）が斜め上方向又は斜め下方向に突出して設けられ、手摺棒（３）の端部下面側には、手摺受け部材（４）の突出部全体若しくは略全体が嵌入される嵌合用凹部（５）が形成されている。
手摺棒（３）の端部と手摺受け部材（４）は、嵌合用凹部（５）に手摺受け部材（４）を嵌入させた状態で、手摺棒（３）内部に配設されたボルト（６ａ）・ナット（６ｂ）等の固定部材（６）によって相互に固定され、手摺受け部材（４）及び固定部材（６）からなるジョイント部材が外部から隠蔽され、あたかも支柱（２）と木製手摺棒（３）が直接結合されているように見える構成となっている。
以下、これら構成要素について、順次、詳説する。
【００２０】
本発明における支柱（２）の材質は特に限定されず、木製、金属製等、種々のものを採用することができるが、できれば木製であることが好ましい。木製であれば施工現場で容易に穴明け加工を施すことができ、また施工現場での状況に応じて、手摺受け部材（４）を適宜の位置に取り付けることができる。
図１に示す形態では支柱（２）は木製とされている。
支柱（２）の上側側部には、図２に示す如く、手摺受け部材（４）が斜め上方向又は斜め下方向に突設される。尚、図示例では、左側に斜め下方向、右側に斜め上方向に突設した様子が示されている。
手摺受け部材（４）は、手摺棒（３）の端部を受けこれを下方から支持するものである。この手摺受け部材（４）の材質は特に限定されないが、通常はステンレス等の金属製の金具とされる。
【００２１】
支柱（２）を木製とした形態では、手摺受け部材（４）（金具）を以下のような構成とすることができる。
図３に示すように、手摺受け部材（４）は、支柱の側面に固定される長方形板状の本体部（８）と、この本体部（８）の一面側から斜め上方向又は斜め下方向に突出された平板状の突出部（７）とから構成され、全体として平面視略Ｔ字状を呈するようになる。
手摺受け部材（４）は、突出部（７）の板状面の向きが支柱（２）の長さ方向と合致するように支柱（２）に取り付けられ、突出部（７）は手摺棒（３）の端部下面側に形成された嵌合用凹部（５）に、その全体若しくは略全体が嵌合可能とされている。
また、突出部（７）にはボルト挿通孔（９）が形成されている。このボルト挿通孔（９）は、円形であってもよいが、できれば長円形であることが好ましい。但し、その長円形は、突出部の長さ方向に伸びているものとする。
突出部（７）の本体部（８）に対する傾斜角度（θ）（図４及び図５参照）は特に限定されないが、好ましくは５〜４５°の範囲、より好ましくは１０〜３０°の範囲、さらに好ましくは１０〜２０°の範囲とされ、具体的には例えば１０°とすることができる。
また、突出部（７）の先端部は、図示の如く円弧状に形成されている。これによって、突出部（７）を手摺棒（３）の嵌合用凹部（５）に嵌入した際に、突出部の長さ方向に対して手摺棒を大きく傾斜させて取り付けることが可能となる。すなわち、手摺棒（３）を突出部（７）の傾斜方向と反対方向に傾ける場合には、嵌合用凹部（５）の内面を先端の丸みに沿わせることで傾けることができ、突出部（７）の傾斜方向と同方向に傾ける場合には、突出部（７）を嵌合用凹部（５）から露出させずに傾けることができるようになる。また、接触による怪我を防止することができる。
【００２２】
本体部（８）は、手摺受け部材（４）を支柱（２）に固定するためのものである。
本体部（８）の形態は特に限定されないが、例えば以下の構成とすることができる。
図４に示す例では、本体部（８）は、円形の基板部（１０）と、この基板部（１０）に対して垂直に、突出部（７）と略反対の向きへ延出する棒状の嵌入固定部（１１）とからなる。
基板部（１０）には木ねじ挿通孔（１２）が形成されており、この木ねじ挿通孔（１２）に挿通された木ねじ（２１）によって本体部（８）を支柱（２）に固定することができる。
支柱（２）の上側側部には、本体部（８）と同形状の取付け孔（１３）が形成されている。この取付け孔（１３）に本体部（８）を嵌入し、木ねじ（２１）にて基板部（１０）をその取付け孔（１３）に固定することにより、突出部（７）は、確実に支柱（２）の上側側部に突出状態で固定される。
図４に示す本体部（８）を有する手摺受け部材（４）は、表面（周面）が加工されていない自然なままの木材を支柱（２）として使用する場合に好適に用いられる。これは、本体部（８）を取付け孔（１３）に固定する構成であるために、表面に凸凹であっても関係なく手摺受け部材（４）を支柱（２）に対してしっかりと固定できるからである。
【００２３】
尚、本体部（８）の構成は図４に示すものに限定されず、図５に示す如く構成することも可能である。図５に示す本体部（８）は、図４に示すものと比べて本体部（８）の構造が異なっている。
図５に示す本体部（８）は、支柱（２）の上側側部表面に沿った湾曲板となっている。この本体部（８）には木ねじ挿通孔（１２）が形成されており、この木ねじ挿通孔（１２）に挿通された木ねじ（１２）によって本体部（８）を支柱（２）表面に固定することができる。この場合、支柱（２）の上側側部には、取付け孔の加工を特に必要としない。いずれの場合も、支柱（２）に手摺受け部材（４）を取り付けると、図６に例示するような状態となる。
図５に示す本体部（８）を有する手摺受け部材（４）を使用する場合、支柱（２）として使用する木材の表面（周面）を丸加工（ローリング加工）して円柱とする。これは、本体部（８）を支柱（２）の側部表面に沿わせて固定する構成であるため、支柱表面の形状を本体部（８）の形状と合致させる必要があるからである。このように、丸加工された支柱（２）と図５に示す本体部（８）を有する手摺受け部材（４）を使用した場合、施工を迅速且つ容易に行うことが可能となる。
【００２４】
図７は、手摺棒（３）の構造を詳細に示す図であり、（ａ）はその端面図、（ｂ）はその正面図、（ｃ）は別の例の端面図である。
図８は、手摺棒（３）を支柱（２）に固定した状態を拡大して示す正面図である。但し、図８においては、孔埋部材の図示を省略している。
手摺棒（３）は、隣り合う支柱（２）を繋ぐものである。
この手摺棒（３）は少なくとも表面が木製とされ、好ましくはその全体が木製とされ、更に好ましくは自然木の状態とされる。
手摺棒（３）の両端部には、以下のような加工が施される。
自然木を使用した場合、部分毎に径や断面形状が異なるので、自然な趣のある格調高いウッディフェンス（１）を構築することができる。
手摺棒（３）の端部下面側には、手摺受け部材（４）の突出部全体若しくは略全体が嵌入される嵌合用凹部（５）が形成されている。
この嵌合用凹部（５）は、図示例の如く、手摺棒（３）の両端部にのみ形成してもよいが、手摺棒（３）の長さ方向全長にわたって形成されることが好ましい。これは、嵌合用凹部（５）を手摺棒（３）の長さ方向全長にわたって形成することによって、ひび割れを防ぐことができるとともに、手摺棒（３）をどの部分で切断しても、両端部に手摺受け部材（４）の突出部が嵌入される嵌合用凹部（５）が現れることになるためである。
また、この嵌合用凹部（５）は、手摺棒（３）の端面と下面の双方において開口しているが、上面には開口していない。
【００２５】
手摺棒（３）は、その嵌合用凹部（５）に手摺受け部材（４）を嵌合させたときに手摺受け部材（４）のボルト挿通孔（９）と一致する箇所に貫通孔（１４）を有している（図７（ａ）参照）。
貫通孔（１４）の一端側からボルト（６ａ）を挿通し、手摺受け部材（４）のボルト挿通孔（９）にボルト（６ａ）を挿通し、貫通孔（１４）の他端側に設けたナット（６ｂ）にボルト（６ａ）を螺合することにより、手摺棒（３）は手摺受け部材（４）に固定される。
【００２６】
貫通孔（１４）は、ボルト（６ａ）の頭部を保持する頭部保持孔（１５）と、ナット（６ｂ）を保持するナット保持孔（１６）と、ボルト（６ａ）の脚部が挿通される脚部挿通孔（１７）とからなっており、頭部保持孔（１５）及びナット保持孔（１６）は、脚部挿通孔（１７）よりも径が大きくなっている。
また、頭部保持孔（１５）の奥行きは、ボルト（６ａ）の頭部の長さより大きい。
従って、頭部保持孔（１５）内にボルト（６ａ）の頭部を配置したとき、ボルト（６ａ）の頭部はその全体が頭部保持孔（１５）内部に位置され、外部から殆ど見えない。
また、ナット保持孔（１６）の奥行きは、ナット（６ｂ）の長さより大きい。従って、ナット保持孔（１６）内にナット（６ｂ）を配置したとき、ナット（６ｂ）はその全体がナット保持孔（１６）内部に位置され、外部から殆ど見えない。
【００２７】
尚、頭部保持孔（１５）及びナット保持孔（１６）には、円柱状の孔埋部材（１８）を設けることが好ましい。
この孔埋部材（１８）は、木製であって、頭部保持孔（１５）にボルト（６ａ）の頭部を配置し、ナット保持孔（１６）にナット（６ｂ）を配置してボルト（６ａ）とナット（６ｂ）を螺合した際、ボルト（６ａ）の頭部とナット（６ｂ）が外部から見えるのを完全に防止するために、それらの外側に配置されるものである。
孔埋部材（１８）は、頭部保持孔（１５）及びナット保持孔（１６）内に配置された際にその外側表面が手摺棒（３）の表面と面一になるように配設される。
【００２８】
尚、本発明においては、図７（ｃ）に示す如く、図７（ａ）に示す構成における貫通孔（１４）に代えて非貫通孔（１４ａ）を設ける構成を採用することもできる。この場合、非貫通孔（１４ａ）の開口された一端側からコーチボルト（６ａ）又はビスを挿入してねじ込み固定することによって、手摺棒（３）を手摺受け部材（４）に固定することができ、ナットを必要としなくなる。
また、この場合には、コーチボルト（６ａ）を挿入する側のみに非貫通孔（１４ａ）が開口し、反対側には穴が無くなるので、孔埋部材（１８）を必要とせずに美観的に優れたものとなる。そのため、穴が無い側をフェンスの表側に配置することで、フェンス全体としても美しい美観が得られる。しかも、ナットの螺合作業を必要としないので、作業効率も大幅に向上する。
また、穴が無い側をフェンスの表側に配置することにより、非貫通孔（１４ａ）が開口した側が目立たなくなって、孔埋部材（１８）を省略することができ、これによって更に作業効率を向上させることができる。
【００２９】
また、図７（ｂ）及び図８に示すように、手摺棒（３）の端面（３ａ）と側面（３ｂ）が出会う角部は、手摺棒（３）の軸方向（長さ方向）に対して斜めにカットされていることが好ましい。
この構成は、図４に示す本体部（８）の構成を有する手摺受け部材（４）を使用する場合に特に好ましく採用される。
このようなカット部（１９）を形成することにより、手摺棒（３）の径が大きい場合でも、手摺棒（３）の前記角部が外側に突出せず（図９（ａ）乃至（ｃ）参照）、手摺棒（３）の端部の納まりが良くなり見栄えも良くなる。
また、端部が外側に突出しないことにより、手摺棒（３）に触れて進む者がその端部に衣服を引っ掛けたり、或いはその端部で手に怪我をすることがなくなる。
更に、図９（ｃ）に示す如く、隣り合う手摺棒（３）を互いに直角をなすように配置した場合に、手摺棒（３）の端部内側同士が干渉することがない。
カット部（１９）は、手摺棒（３）の端面（３ａ）において支柱（２）と近接する部分を除いた位置から側面（３ｂ）にかけて斜めに形成される。つまり、カット部（１９）の大きさは、手摺棒（３）と支柱（２）の径の大小関係に応じて適宜に設定される。カット部（１９）をこのような大きさとすれば、上記した種々の効果を確実に奏することができる。
【００３０】
尚、１本の支柱（２）に取り付ける手摺受け部材（４）の数は１本、２本、３本（図１０参照）以上のいずれでもよい。この数は、支柱（２）の配列状態に応じて適宜に設定される。
【００３１】
尚、手摺受け部材（４）におけるボルト挿通孔（９）を横長の長円形とすることにより、手摺棒（３）を傾斜させて支柱（２）に固定することが可能となる。つまり、ボルト（６ａ）の位置を長孔の長手方向に移動させることにより、手摺棒（３）を傾斜させることができる。
この傾斜状態での固定は、支柱（２）を立設する地面が傾斜している場合に有効である。
【００３２】
しかし、単にボルト挿通孔（９）を横長の長円形としただけでは、傾斜可能な角度は小さく、傾斜がきつい斜面などには全く適用することができない。
本発明においては、手摺受け部材（４）の突出部（７）が本体部（８）の一面側から斜め上方向又は斜め下方向に突出されており、しかもその先端が円弧状に形成されているので、図１１（ａ）、（ｂ）に示す如く、手摺棒（３）を支柱（２）に対して大きく傾斜させて取り付けることが可能となる。すなわち、突出部（７）の本体部（８）に対する傾斜角度と、ボルト挿通孔（９）を横長の長円形とし且つ突出部（７）の先端を円弧状に形成したことによる許容傾斜角度の和だけ傾斜させて取り付けることができる。具体的には、前者の角度が１０°、後者の角度が１５°であると、２５°傾斜させて取り付けることができる。尚、手摺受け部材（４）を上下にひっくり返して取り付けることによって、１つの手摺受け部材（４）で図１１（ａ）、（ｂ）の両方の取り付け方が得られるため、結局上下に約２５°ずつ、合計約５０°もの範囲で傾斜角度を設定することが可能となる。
しかも、本発明における手摺受け部材（４）（金具）を使用すれば、図１１（ｃ）に示す如く、手摺棒（３）を水平に取り付けることも可能であるため、水平な地面であっても大きく傾斜した地面であっても、ウッディフェンスを構築することが可能となり、極めて高い汎用性を有するものとなる。
【００３３】
次に、このウッディフェンス（１）の施工方法について、説明する。
まず、複数本の支柱（２）を立設する（工程１）。この際、支柱（２）は一直線上に配置しても構わないが、隣り合う２本の支柱（２）間を結ぶ平面同士が互いに斜めに交わるように若しくは直角に交わるように各支柱（２）を配置してもよい。
本発明は、後者の配置状態を容易に成し得ることに一つの利点がある。尚、前者の配置形態は、図９（ａ）に示す状態に対応しており、後者の配置形態は、図９（ｂ）若しくは図９（ｃ）に示す状態に対応している。
【００３４】
支柱（２）同士の間隔に見合う長さの手摺棒（３）を用意する。
この手摺棒（３）の端部には、カット部（１９）が形成されている。
支柱（２）の上側側部に、図４或いは図５に例示するように、手摺受け部材（４）を斜め上方向又は斜め下方向に突設する（工程２）。
手摺棒（３）の端部下面側に形成された嵌合用凹部（５）を、手摺受け部材（４）の突出部（例えば、突出部（７））全体若しくは略全体に上方から嵌合させる（図３の矢印参照）（工程３）。このとき、本発明においては、手摺受け部材（４）（金具）の突出部（７）が、本体部（８）の一面側から斜め上方向又は斜め下方向に突出されているので、図１１（ａ）、（ｂ）に示す如く、手摺棒（３）を支柱（２）に対して大きく傾斜させて取り付けることが可能となる。
また、このとき、図８に示す如く、手摺棒（３）の端面を長さ方向に対して傾斜する面に形成しておくと、支柱（２）の外面に沿って手摺棒（３）の端面を配置させることができるため、収まりがよく美観的に優れたものとなる。
【００３５】
手摺棒（３）内部に配設したボルト（６ａ）等の固定部材（６）によって手摺棒（３）の端部と手摺受け部材（４）を相互に固定する（図８参照）（工程４）。
この時点で、手摺棒（３）の頭部保持孔（１５）内部にはボルト（６ａ）の頭部が保持され、ナット保持孔（１６）の内部にはナット（６ｂ）が保持されている。
ボルト（６ａ）の頭部は意識して見ない限り外部からは殆ど見えないが、これが外部から完全に見えないようにするためには、頭部保持孔（１５）を孔埋部材（１８）で塞ぐ（図７ａ参照）。
また、ナット（６ｂ）も意識して見ない限り外部からは殆ど見えないが、これが外部から完全に見えないようにするためには、ナット保持孔（１６）を孔埋部材（１８）で塞ぐ。以上により、ウッディフェンス（１）の施工が完了する。
【００３６】
上記したウッディフェンス（１）は、手摺受け部材（４）の上から手摺棒（３）の嵌合用凹部（５）を嵌合し、手摺棒（３）内部に配設したボルト（６ａ）等の固定部材（６）によって手摺受け部材（４）と手摺棒（３）を相互に固定することで施工される。
従って、手摺受け部材（４）及びボルト（６ｂ）等の金属製のジョイント部材が外部から見えず、しかも自然に近い状態の種々の太さの木材を用いて施工することができ、これにより見栄えが良く美麗で自然の趣のある格調高いウッディフェンス（１）を得ることができる。
また、金属製ジョイント部材による怪我や衣服の破損を防止することができる。また、支柱（２）が一直線上にない例えば折れ線の頂点上に配置をされていても、その支柱（２）間に容易に手摺棒（３）を架設することができ、折れ線形状或いは多角形状等の種々の包囲形状を容易に構築することができる。
【００３７】
また、手摺棒（３）を取り替える際には、ボルト（６ａ）とナット（６ｂ）の螺合を解除し、手摺棒（３）を上方へ持ち上げるだけで手摺棒（３）を取り外すことができる。
従って、手摺棒（３）の取り替え作業も容易に行うことができる。尚、手摺棒（３）を取り替える際、孔埋部材（１８）が頭部保持孔（１５）及びナット保持孔（１６）を塞いでいる場合には、孔埋部材（１８）を取り外した後にボルト（６ａ）とナット（６ｂ）の螺合を解除すればよい。
【００３８】
次に、本発明の第２実施形態について、図面を参照しつつ説明する。
図１２は、第２実施形態に係るウッディフェンスの支柱の構造を示す斜視図である。尚、第２実施形態に係るウッディフェンスの全体構造、及び手摺受け部材への手摺棒の取付け構造については、第１実施形態に係る図面を準用して説明する。
第２実施形態に係るウッディフェンス（１）は、複数本の支柱（２）と、隣り合う支柱を繋ぐ木製の手摺棒（３）とからなる。
この第２実施形態が上記した第１実施形態と異なる点は、支柱（２）が木製ではなく、金属製であることである。
この支柱（２）には、金属製の手摺受け部材（４）が一体に設けられている。
手摺棒（３）の構造及びその取付け方法については、第１実施形態と同様である。
また、手摺受け部材（４）は、支柱（２）の上部側側部に斜め上方向又は斜め下方向に突設されるとともに、ボルト挿通孔（９）を有している。手摺受け部材（４）は、隣に立設される支柱（２）の位置に応じて位置決めされる。この手摺受け部材（４）は、工場において予め支柱（２）に取付けられていてもよいが、施工現場にて溶接等により取り付けられてもよい。
【００３９】
次に、この第２実施形態に係るウッディフェンス（１）の施工方法について説明する。
まず、図１２に例示するような、上側側部に手摺受け部材（４）を斜め上方向又は斜め下方向に突設した支柱（２）を複数本用意し、これらを立設する（工程１）。
手摺棒（３）の端部下面側に形成された嵌合用凹部（５）を手摺受け部材（４）の突出部全体若しくは略全体に上方から嵌合させる（工程２）。このとき、本発明においては、手摺受け部材（４）の突出部（７）が、支柱（２）の上側側部に斜め上方向又は斜め下方向に突出されているので、図１１（ａ）、（ｂ）に示す如く、手摺棒（３）を支柱（２）に対して大きく傾斜させて取り付けることが可能となる。
そして、手摺棒（３）内部に設けたボルト（６ａ）等の固定部材（６）によって手摺棒（３）の端部と手摺受け部材（４）を相互に固定する（工程３）。
以上により、施工作業が完了する。
【００４０】
第２実施形態に係るウッディフェンス（１）は、第１実施形態に係るウッディフェンス（１）と略同様の効果を奏することができる。
すなわち、支柱（２）に対して手摺棒（３）を水平に取り付けることは勿論のこと、大きく傾斜させて取り付けることも可能であるため、水平な地面であっても大きく傾斜した地面であっても、ウッディフェンスを構築することが可能となり、極めて高い汎用性を有するものとなる。
また、金属製のジョイント部材が外部から見えず、しかも自然に近い状態の種々の太さの木材を用いて施工することができ、これにより見栄えが良く美麗で自然の趣のある格調高いウッディフェンス（１）を得ることができる。また、金属製ジョイント部材による怪我や衣服の破損を防止することができる。さらに、支柱（２）が一直線上にない例えば折れ線の頂点上に配置をされていても、その支柱（２）間に容易に手摺棒（３）を架設することができ、折れ線形状或いは多角形状等の種々の包囲形状を容易に構築することができる。また、手摺棒（３）を取り替える際には、ボルト（６ａ）とナット（６ｂ）の螺合を解除し、手摺棒（３）を上方へ持ち上げるだけで手摺棒（３）を取り外すことができる。従って、手摺棒（３）の取り替え作業も容易に行うことができる。
【産業上の利用可能性】
【００４１】
本発明は、特に山中の遊歩道や階段の手摺、或いは起伏が大きい場所など、比較的大きな高低差がある部分に構築されるウッディフェンスに好適に適用される。
【図面の簡単な説明】
【００４２】
【図１】本発明において構築されるウッディフェンスを示す外観斜視図である。
【図２】図１に示すウッディフェンスの一部を抽出して示す正面図である。
【図３】図２に示す抽出部を分解して示す斜視図である。
【図４】本発明における手摺受け部材の取付け構造の一例を示す図であり、（ａ）はその取付け過程を示す斜視図、（ｂ）は取付け後の状態を示す縦断面図である。
【図５】本発明における手摺受け部材の取付け構造の一例を示す図であり、（ａ）はその取付け過程を示す斜視図、（ｂ）は取付け後の状態を示す縦断面図である。
【図６】本発明における支柱に手摺受け部材を取り付けた状態を示す正面図である。
【図７】本発明における手摺棒の構造を示す図であり、（ａ）はその端面図、（ｂ）はその部分正面図、（ｃ）は別の例の端面図である。
【図８】本発明における支柱に手摺棒を取り付けた状態を示す拡大正面図である。
【図９】本発明における支柱に手摺棒を取り付けた状態を示す平面図であり、（ａ）は隣り合う手摺棒を直線的に配置した状態を示す図、（ｂ）は隣り合う手摺棒を互いに斜めをなすように配置した状態を示す図、（ｃ）は隣り合う手摺棒を互いに直角をなすように配置した状態を示す図である。
【図１０】本発明における支柱に３本の手摺棒を接続した状態を示す平面図である。
【図１１】本発明における支柱に手摺棒を取り付けた状態を示す正面図であり、（ａ）は手摺棒を支柱に対して上方向に傾斜させて配置した状態を示す図、（ｂ）は手摺棒を支柱に対して下方向に傾斜させて配置した状態を示す図、（ｃ）は手摺棒を水平に配置した状態を示す図である。
【図１２】本発明における支柱を金属製とし、その支柱に手摺受け部材を取り付けた状態を示す斜視図である。
【図１３】従来のウッディフェンスの第１例を示す図であり、支柱に手摺棒を取付ける様子を示す斜視図である。
【図１４】従来のウッディフェンスの第１例を示す外観斜視図である。
【図１５】従来のウッディフェンスの第２例を示す図であり、支柱に手摺棒を取付ける様子を示す斜視図である。
【図１６】従来のウッディフェンスの第２例を示す外観斜視図である。
【図１７】従来のウッディフェンスの第３例を示す図であり、支柱に手摺棒を取付ける様子を示す斜視図である。
【図１８】従来のウッディフェンスの第３例を示す外観斜視図である。
【符号の説明】
【００４３】
１・・・・・ウッディフェンス
２・・・・・支柱
３・・・・・手摺棒
４・・・・・手摺受け部材（金具）
５・・・・・嵌合用凹部
６・・・・・固定部材
７・・・・・突出部
８・・・・・本体部
９・・・・・挿通孔
【図１】
2005036566.tif 000003
【図２】
2005036566.tif 000004
【図３】
2005036566.tif 000005
【図４】
2005036566.tif 000006
【図５】
2005036566.tif 000007
【図６】
2005036566.tif 000008
【図７】
2005036566.tif 000009
【図８】
2005036566.tif 000010
【図９】
2005036566.tif 000011
【図１０】
2005036566.tif 000012
【図１１】
2005036566.tif 000013
【図１２】
2005036566.tif 000014
【図１３】
2005036566.tif 000015
【図１４】
2005036566.tif 000016
【図１５】
2005036566.tif 000017
【図１６】
2005036566.tif 000018
【図１７】
2005036566.tif 000019
【図１８】
2005036566.tif 000020